(57)【要約】【課題】携帯電話に人や物を捜索する機能を具備させる。【解決手段】ＣＰＵ１と、内蔵信号チップ２と、信号探知器３と、方向判別電気回路ユニット４と、距離判別電気回路ユニット５と、音声電気回路ユニット６と、画面７と、被捜索物信号チップ８とによって構成する。信号探知器３は被捜索物信号チップ８からの信号を受信することができ、方向判別電気回路ユニット４、および距離判別電気回路ユニット５は被捜索物の前、後、左、右の信号、およびその強弱を感知することができ、被捜索物の前、後、左、右の方向、および距離を知ることができ、被捜索物に接近した時、音声電気回路ユニット６は音声を発することができ、画面７は被捜索物の位置を表示することができる。【選択図】図２
0003103691.tif 000002
【実用新案登録請求の範囲】
【請求項１】
人や物の捜索を補助することができる携帯電話の制御装置であって、
前記携帯電話に増設されるＣＰＵと、内蔵信号チップと、信号探知器と、方向判別電気回路ユニットと、距離判別電気回路ユニットと、音声電気回路ユニットと、携帯電話本体に接続されている画面と、必要な数量の被捜索物信号チップとによって構成され、
前記ＣＰＵは、信号を受信し、判読し、比較し、制御信号を発信する機能を有し、
前記内蔵信号チップは、予め入力設定した各被捜索物信号チップの通し番号を受信可能であり、
前記信号探知器は、前記被捜索物信号チップからの信号を受信可能で、この受信した信号をＣＰＵに戻し、
前記方向判別電気回路ユニットは、前記ＣＰＵからの被捜索物信号チップ信号を受信し、前記信号が前、後、左、右のいずれの方向からのものかを分析し、この分析後この信号をＣＰＵに戻し、
前記距離判別電気回路ユニットは、前記ＣＰＵからの被捜索物信号チップ信号を受信してこの信号の強弱を分析し、再びこの信号をＣＰＵに戻し、前記ＣＰＵはこの信号を判読して距離を演算し、
前記音声電気回路ユニットは、前記距離判別電気回路ユニットにおいて、被捜索物に接近して信号が強信号であると分析されたとき、この信号を受信して音声を発し、
前記画面は、前記ＣＰＵからの方向信号、距離信号を受信して、被捜索物の前、後、左、右の位置と距離を表示し、
前記被捜索物信号チップは、前記信号探知器に探知される信号を設定し、設定距離内において、信号探知器に対応したとき、前記信号探知器に命令を出し、前記信号をＣＰＵに戻し、
携帯電話に人や物を捜索する機能を具備させことを特徴とする携帯電話の制御装置。
【考案の詳細な説明】
【技術分野】
【０００１】
本考案は、携帯電話に人や物を捜索する機能を具備させた携帯電話の制御装置に関する。
【背景技術】
【０００２】
公知構造の携帯電話の制御装置、機能は、電話をかけたり、受けたりする以外に、ゲーム、インターネットへの接続、映像の伝送、動静止画の撮影、資料の記憶等の機能があるに止まり、現在、遺失物、行方不明の人の捜索、またはそれらを予防する機能を具備するものは未だ存在しない。
【０００３】
本考案は、上述の公知構造の携帯電話の制御装置にない機能を具備したものであり、それにより更に優れた実用効果を達成することができるようにしたものである。
【考案の開示】
【考案が解決しようとする課題】
【０００４】
本考案は、携帯電話に人や物を捜索する機能を具有させることを課題とする。
【課題を解決するための手段】
【０００５】
前記課題を解決するために、本考案による携帯電話の制御装置は、ＣＰＵと、内蔵信号チップと、信号探知器と、方向判別電気回路ユニットと、距離判別電気回路ユニットと、音声電気回路ユニットと、画面と、複数の被捜索物信号チップとによって構成され、信号探知器は被捜索物信号チップからの信号を受信することができ、方向判別電気回路ユニット、および距離判別電気回路ユニットは被捜索物の前、後、左、右の信号、およびその強弱を感知することができ、被捜索物の前、後、左、右の方向、および距離を知ることができ、被捜索物に接近した時、音声電気回路ユニットは音声を発することができ、画面は被捜索物の位置を表示することができ、以上の構造により、公知の携帯電話にはない、更に優れた実用効果を有するものである。
【考案の効果】
【０００６】
本考案は、物品の置き忘れや盗難の予防、または遺失時の捜索に有用である。また、本考案を人に応用した場合は、大人数で出掛けた時の連絡や公共場所において子供の行方を把握するのに有用である。さらに車に応用した場合は、盗難時の捜索に有用である。したがって、本考案により、携帯電話に更に優れた実用性を具備させ、その効果を高めることができる。
【考案を実施するための最良の形態】
【０００７】
以下、図面を参照して本考案の実施例を説明する。
【実施例】
【０００８】
図１に示すように本考案の一実施例による携帯電話の制御装置は、ＣＰＵ１と、内蔵信号チップ２と、信号探知器３と、方向判別電気回路ユニット４と、距離判別電気回路ユニット５と、音声電気回路ユニット６と、画面７と、被捜索物信号チップ８とによって構成されている。そして、この携帯電話の制御装置では、前記信号探知器３は被捜索物信号チップ８からの信号を受信することができ、方向判別電気回路ユニット４、および距離判別電気回路ユニット５は被捜索物の前、後、左、右の信号、およびその強弱を感知することことによって、被捜索物の前、後、左、右の方向、および距離を知ることができ、被捜索物に接近した時、前記音声電気回路ユニット６は音声を発することができ、前記画面７は被捜索物の位置を表示することができる。
【０００９】
ここで図２を参照して使用例を説明すると、使用者が制御したい人、物に予め被捜索物信号チップ８を設置し、一方、携帯電話においては、予め各信号チップの通し番号を内蔵信号チップ２に入力する。そして、捜索したい時に、携帯電話の入力キーを押し、捜索機能の状態にする。入力キーを押して捜索したい対象の被捜索物信号チップ８の通し番号を入力すると、携帯電話内の信号探知器３が前、または後、または左、または右へ捜索を行う。ここで前記信号探知器３は、被捜索物信号チップ８からの信号を受信できる距離範囲になったとき、その信号を感知すると共に、その信号をＣＰＵ１に戻す。前記ＣＰＵ１は、再びその信号をそれぞれ方向判別電気回路ユニット４と距離判別電気回路ユニット５とに送出する。前記方向判別電気回路ユニット４は、前後左右四組の感応器を有しており、それにより被捜索物信号チップ８が前方にある時は前方の感応器が比較的強い信号を受けて作動し、被捜索物が前方にあることを感知、分析し、その信号をＣＰＵ１に戻し、さらに、距離判別電気回路５がＣＰＵ１からの信号を受信した時、信号の強弱を分析することができ（例えば信号が強ければ電圧または電流が大きく、信号が弱ければ電圧または電流が小さい）、この強弱の信号の値をＣＰＵ１に戻し、ＣＰＵ１は方向判別電気回路ユニット４からの前記方向信号と距離判別電気回路ユニット５からの強弱信号値を受信し演算、判読を行い、方向と距離の値を画面７に出力しする。前記画面７は、被捜索物（人）がどの方向に、どの距離に存在するかを表示することができる。さらに、信号の強度が設定した値に達したときは、ＣＰＵ１は（被捜索物に至った時）音声電気回路ユニット６に命令を出して音声を発生させ、より迅速、確実に捜索することができるものである。
【００１０】
上述の説明により、本考案を携帯電話に応用した場合は、物品の置き忘れや盗難の予防、または遺失時の捜索に有用である。また本考案の携帯電話の制御装置を人に応用した場合は、大人数で出掛けた時の連絡や公共場所において子供の行方を把握するのに有用である。さらに車に応用した場合は、盗難時の捜索に有用である。
【図面の簡単な説明】
【００１１】
【図１】本考案の装置のブロック図である。
【図２】本考案の制御機能のブロック図である。
【符号の説明】
【００１２】
１  ＣＰＵ
２  内蔵信号チップ
３  信号探知器
４  方向判別電気回路ユニット
５  距離判別電気回路ユニット
６  音声電気回路ユニット
７  画面
８  被捜索物信号チップ
代理人  弁理士    伊藤  進
【図１】
0003103691.tif 000003
【図２】
0003103691.tif 000004